(57)【要約】【課題】身体の上に掛けた際に身体とのフィット感が良好で、保温性に優れた掛布団を提供すること。【解決手段】  表側生地及び裏側生地が、人体に合わせて立体裁断された裁断片Ｃ、Ｒ、Ｌを縫合してなる掛布団であり、中綿を充填した状態で掛布団の中央部近傍の厚みが最大で、該厚みは周縁部に行くに従って漸減する。表側生地と裏側生地とは、その周縁部近傍及び中央部近傍以外の部分において中綿を介して糸により接合されていてもよい。【選択図】図１
0003192276.tif 000002
【実用新案登録請求の範囲】
【請求項１】
中綿が充填されてなる掛布団であって、表側生地及び／又は裏側生地が立体裁断されてなることを特徴とする掛布団。
【請求項２】
掛布団の表側面及び／又は裏側面における中央部近傍の厚みが最大で、
該厚みは、該中央部近傍から周縁部に行くに従って漸減することを特徴とする請求項１記載の掛布団。
【請求項３】
表側生地及び／又は裏側生地が、長手方向又は短手方向に少なくとも２枚の片が縫合されてなり、
かつこれらの２枚の片がそれぞれ、立体裁断されてなることを特徴とする請求項１又は２記載の掛け布団。
【請求項４】
前記表側生地と裏側生地とが、少なくともその周縁部近傍において前記中綿を介して糸により接合されていることを特徴とする請求項1〜３のいずれか１項に記載の掛布団。
【考案の詳細な説明】
【技術分野】
【０００１】
本考案は、人の身体上に掛けた際の該身体とのフィッティング性や密着性と、保温性を向上させた掛布団に関し、特に掛布団の表側生地あるいは裏側生地を該身体に合わせて立体裁断してなる掛布団に関する。
【背景技術】
【０００２】
掛布団は一般に、人の身体の上に掛けて身体の下に敷く敷布団とともにセットで使用されるが、従来の掛布団はその表面素材である側生地として、同形でほぼ矩形形状の一対の表側生地と裏側生地とを所定の形状に平面裁断し、この表側生地と裏側生地の周縁を縫合して形成された袋体の内部に中綿を充填してなるものが一般的である（特許文献１等）。
【０００３】
図７は従来の掛布団の長手あるいは短手方向に垂直な断面を示す図であり、図８は図７に示す従来の掛布団を人体１８上に掛けた状態を、該掛布団の長手方向に垂直な断面図で示している。従来の掛布団１１は、図７，８に示すように、断面がほぼ直方体形状を有しているため、人体１８上に掛けた際に人体１８の左右両サイドと掛布団１１との間に空隙１９が生じてしまい、使用時のフィッティング性、密着性に欠け、冬場等の気温の低い環境下で使用した際には保温性が必ずしも十分でないことが多く、何らかの改善が期待されている。
【先行技術文献】
【特許文献】
【０００４】
【特許文献１】実開昭６１−７３２７７号公報
【考案の概要】
【考案が解決しようとする課題】
【０００５】
本考案は上記状況に鑑みてなされたものであり、本考案の課題は人の身体の上に掛けた際に身体とのフィッティング性、密着性が良好で、保温性に優れた掛布団を提供することにある。
【課題を解決するための手段】
【０００６】
本考案の掛布団は下記（１）〜（４）の構成からなる。すなわち本考案の掛布団は、
（１）中綿が充填されてなる掛け布団であって、表側生地及び／又は裏側生地が、人体に合わせて立体裁断されてなることを特徴とする。
（２）掛布団の表側面及び／又は裏側面における中央部近傍の厚みが最大であり、該厚みは、該中央部近傍から周縁部に行くに従って漸減することを特徴とする。
（３）表側生地及び／又は裏側生地が、長手方向又は短手方向に少なくとも２枚の片が縫合されてなり、かつこれらの２枚の片がそれぞれ、立体裁断されてなることを特徴とする。このとき、長手方向又は短手方向の中央片と両サイド片との３枚の片としてもよいし、もちろん４枚以上の片としてもよい。
（４）表側生地と裏側生地とが、少なくともその周縁部近傍において前記中綿を介して糸により接合されていることを特徴とする。
【考案の効果】
【０００７】
本考案の掛布団は上記の構成からなり、人体に合わせて立体裁断した裁断片を表側生地と裏側生地、若しくは表・裏何れか一方の側生地として使用し、これらの裁断片を縫合すると、表側生地と裏側生地との間隔が、その中央部近傍（すなわち、中央部とその周辺部）において最大となり、かつこの間隔は周縁部に行くに従って漸減し、この間隔内に中綿を充填すると、身体の形状に適合するような立体形状の掛布団となる。
【０００８】
そのため本考案の掛布団を身体上に掛けた際に、身体と接する部分、すなわち掛布団の中央部分近傍が、最大厚みとなり、該中央部近傍から周縁部に行くに従って厚みが漸減し、身体全体と密着し易い態様となり、身体とのフィッティングが良好で、身体に掛けた際に空隙部分の発生がなくなり、保温性が従来のものよりも遥かに向上する。
【図面の簡単な説明】
【０００９】
【図１】本考案の掛布団の一例を、表側生地及び裏側生地の長手方向において立体裁断した裁断片の平面図で示している。
【図２】図１に示す立体裁断片を縫合して得られる本考案の掛布団の外観を示す斜視図である。
【図３】図２に示す本考案の掛布団の長手方向に垂直な断面で示す図である（短手方向に垂直な断面も本図と略同様に表わされる）。
【図４】敷布団の上に横たわった身体の上に、図１〜３に示す本考案の掛布団を掛けた時の状態を示す、長手方向に垂直な断面図である（短手方向に垂直な断面も本図と略同様に表わされる）。
【図５】（Ａ）は本考案の掛布団の他の例を、表側生地及び裏側生地の短手方向において立体裁断した裁断片の平面図で示しており、（Ｂ）は（Ａ）の裁断片を縫合して得られる本考案の掛布団の外観を示す斜視図である。
【図６】（Ａ）は本考案の掛布団の更に他の例を、表側生地及び裏側生地の長手方向において立体裁断した裁断片の平面図で示しており、（Ｂ）は（Ａ）の裁断片を縫合して得られる本考案の掛布団の外観を示す斜視図である。
【図７】従来の掛布団の長手方向に垂直な断面図である（短手方向に垂直な断面図も本図と略同様に表わされる）。
【図８】敷布団に上に横たわった身体の上に図７に示す従来の掛布団を掛けた時の状態を示す、長手方向に垂直な断面図である。
【考案を実施するための形態】
【００１０】
以下、実施例により本考案の掛布団についてさらに詳細に説明する。
本考案の掛布団は、従来の掛布団のように平面裁断して得た側生地を使用するのではなく、人体の立体形状に合わせて裁断（すなわち、立体裁断）した裁断片を縫合して得た表側生地と裏側生地のそれぞれの周縁を、一部開口部分を残して縫合し袋体を作製し、該袋体の上記開口部から内部に中綿を充填した後、該開口部を縫合する方法や、表側生地又は裏側生地上に中綿を載置し、この上に裏側生地又は表側生地を載置した後、表側生地と裏側生地の周縁を縫合する方法等によって製造される。
【００１１】
図１は、木綿、麻、絹、化繊など、布団の側生地として従来から使用されている側生地用素材を、掛布団の長手方向に、人体の立体形状に合わせて立体裁断した裁断片Ｃ、裁断片Ｒ、及び裁断片Ｌを並べて示す平面図であり、図２は本考案の掛布団１の外観形状を示す斜視図であり、図３は図２に示す本考案の掛布団１の長手方向（Ｙ−Ｙ′方向）に垂直な面（Ｘ−Ｘ′線）の断面図である。
【００１２】
例えば図２、図３に示す本考案の掛布団１を製造するには、最初に側生地素材を掛布団１の長手方向に立体裁断して得た裁断片Ｃ、Ｒ、及びＬを図１に示す位置に配置し、裁断片Ｒの左側周縁Ｒ１と裁断片Ｃの右側周縁Ｃ２、及び裁断片Ｌの右側周縁Ｌ１と裁断片Ｃの左側周縁Ｃ１とをそれぞれ縫合５，５して、一方の面側に膨出した立体曲面形状の表側生地２を作製し、次いで、これと同様にして別途立体裁断して得た裁断片Ｃ、裁断片Ｒ、及び裁断片Ｌを使用して、表側生地２と同様にして他方の面側に膨出した立体曲面形状の裏側生地３を作製する。
【００１３】
このようにして作製した表側生地２と裏側生地３とを、それぞれの凹曲面側同士を対峙させて重ね合わせ、中綿充填口を除いて周縁を縫合５′して本考案の掛布団１の側部材となる袋体を作製する。
【００１４】
この袋体の内部に充填する中綿４は、羊毛、羽毛、木綿、麻、化学繊維等、布団の中綿として従来から用いられている素材が使用できる。
このような中綿４を、上記のようにして作製した側部材に充填することにより本考案の掛布団１を得ることができる。
【００１５】
本考案において、上記の例では、表側生地２と裏側生地３の双方において、立体裁断した裁断片Ｃ，Ｒ，Ｌを使用しているが、表側生地２のみを立体裁断した裁断片Ｃ，Ｒ，Ｌを使用し、裏側生地３は平面裁断した1枚布を使用してもよいし、逆に裏側生地３のみを立体裁断した裁断片Ｃ，Ｒ，Ｌを使用し、表側生地２は平面裁断した1枚布を使用してもよい。
前者の場合は、表側生地２の裁断片Ｃ，Ｒ，Ｌと裏側生地３とを上記と同様に縫合して本考案の掛布団１の側部材となる袋体を作製し、後者の場合は、表側生地２と裏側生地３の裁断片Ｃ．Ｒ．Ｌとを上記と同様に縫合して該掛布団１の側部材となる袋体を作製すると、前者では、表側面にのみ膨出し、裏側面は平坦な側部材となり、後者では、裏側面にのみ膨出し、表側面は平坦な側部材となる。そして、中綿を充填すると、前者は、表側面において中央部近傍が最大厚みとなり、周縁部に行くに従ってその厚みは漸減し、後者は逆に、裏側面において中央部近傍が最大厚みとなり、周縁部に行くに従ってその厚みは漸減し、前者・後者何れも、全体としては、掛布団の中央部近傍において最大厚みとなり、周縁部に行くに従ってその厚みは漸減し、優れたフィッティング性を得ることができる。
【００１６】
また、本考案において、上記の各例では、側生地の裁断方向を、掛布団１の長手方向としたが、これに限定されず、図５に示すように、短手方向に裁断することもできる。この場合も、上記の長手方向の裁断と同様に、裁断片Ｃの上側周縁Ｃ１と裁断片Ｔの下側周縁Ｔ１、裁断片Ｃの下側周縁Ｃ２と裁断片Ｂの上側周縁Ｂ１とを縫合５，５して、表側生地２及び／又は裏側生地３を作製し、これら表・裏側生地２，３の周縁を中綿充填口を残して縫合５′すれば、本考案の掛布団１の側部材となる袋体が作製される。この側部材である袋体に中綿を充填すれば、図５（Ｂ）に示すような掛布団１となる。なお、図５（Ｂ）に示す掛布団１は、縫合５，５の方向は異なるものの、図２に示す掛布団１と同様の構成となる。
【００１７】
上記何れの本考案の掛布団１は、図２，図５（Ｂ）に示すように、表側生地２と裏側生地３を、中綿４を介して、少なくとも周縁部以外の部分、本例では周縁部よりやや内側を糸６により接合してもよい。なお、この糸６による接合本数は、図２では周縁部よりやや内側に掛布団１の周囲に沿った1本と、上記の裁断片Ｒ，Ｃ，Ｌの縫合部５，５に沿った２本とし、図５（Ｂ）では図２と同様に、周縁部よりやや内側の掛布団１の周囲に沿った1本と、上記裁断片Ｔ，Ｃ，Ｂの縫合部５，５に沿った２本としているが、これらに限定するものではない。
このように1本〜複数本の接合をすることで、表・裏側生地２，３で構成される側部材と中綿４との接合が確保され、中綿４が掛布団１内で、隅や端、あるいは中央部のみに偏在してしまうという事態を予防することができる。
但し、このような接合を、掛布団１の中央部近傍で多数行うと、折角、中央部近傍の厚みを大きくしたにも拘わらず、この接合により中央部近傍の厚みが大きく減少し、本考案の掛布団１を使用する際のフィット感や密着性を大幅に損なってしまうことがある。
従って、上記接合箇所は、このような問題が生じず、しかも中綿の偏在を極力解消できる個所、好ましくは、掛布団１の中央部近傍の最大厚み箇所から２０数ｃｍ程度外側〜周縁部から１０数ｃｍ程度内側に至る範囲に1本以上の複数とすることが適している。
【００１８】
図３は図２のＸ−Ｘ′線断面図（長手方向に垂直な面の断面図）であり、図４は敷布団上に横たわる身体８の上に図３に示す本考案の掛布団１を掛けた状態を示す（Ｘ−Ｘ線）断面図である。なお、図５（Ａ），（Ｂ）に示す本考案の掛布団１も、長手方向に垂直な面の断面図は図３と同様に表れ、身体８上に掛けた状態は図４と同様に表れる。
本考案の掛布団１は人の立体形状にフィットするように、人体の立体形状に合わせて立体裁断された裁断片Ｃ、Ｌ、Ｒ（あるいは裁断片Ｃ，Ｔ，Ｂ）からなる表側生地２と、同様にして立体裁断された裁断片Ｃ、Ｌ、Ｒ（あるいは裁断片Ｃ，Ｔ，Ｂ）からなる裏側生地３によって縫製されているので、表側生地３と裏側生地４との内部間隔は、掛布団１の中央部近傍が最大で、図３に示すように、周縁部に行くに従って内部間隔は漸減するように縫製される。
【００１９】
そのため、図４に示すように敷布団７の上に横たわっている身体８の上に本考案の掛布団１を掛けると、中央部近傍はかなりの厚み、好ましくは本考案の掛布団１を使用する者の身体８の厚み分だけ厚み、があるため、この部分が身体８に沿うこととなり、掛布団１と身体８との間に生じる空隙部９が極めて小さくなり、身体８上に掛けた掛布団１を掛けた際のフィット感が良好で、保温効果が大幅に向上する。
【００２０】
更に本考案においては、上記の各例では、側生地を長手方向又は短手方向に３つの片（図１の例では裁断片Ｒ，Ｃ，Ｌ、図５の例では裁断片Ｔ，Ｃ，Ｂ）に立体裁断しているが、これらに限定されず、長手方向又は短手方向に２つの片に立体裁断することもできる。図６（Ａ）には、長手方向に２つの片Ｒ，Ｌに立体裁断した例を示しており、これらの立体裁断片Ｒ，Ｌは、図示するように、両片とも、一方の辺Ｒ１，Ｌ１の中央部が膨らんだ形状、すなわち図１に示す裁断片Ｒ，Ｌに類似の形状に立体裁断したものを示している。
この場合も、上記の３つの片に裁断する場合と同様に、裁断片Ｒの一方の辺Ｒ１と裁断片Ｌの一方の辺Ｌ１とを縫合５して、表側生地２及び／又は裏側生地３を作製し、これら表・裏側生地２，３の周縁を中綿充填口を残して縫合５′すれば、本考案の掛布団１の側部材となる袋体が作製される。この側部材である袋体に中綿を充填すれば、図６（Ｂ）に示すような掛布団１となる。なお、図６（Ｂ）に示す掛布団１は、縫合箇所は１つ減るものの、図２に示す掛布団１と同様の構成となる。
勿論、立体裁断片Ｒ，Ｌの裁断形状も図６に示すものに限定せず、図示はしないが両辺とも中央部が膨らんだ形状（すなわち図１の裁断片Ｃに類似の形状）に立体裁断した２つの片を使用することもできる。
また、短手方向に２つの片に立体裁断したもの（すなわち図５の裁断片Ｔ，Ｂに類似の形状の裁断片２枚、あるいは裁断片Ｃに類似の形状の裁断片２枚）を使用することもできる。
【００２１】
上記のように立体裁断片を長手方向又は短手方向の２つにした場合であっても、図６（Ｂ）に示すように、表側生地２と裏側生地３を、中綿（４）を介して、周縁部よりやや内側を糸６により接合してもよく、この糸６による接合本数は任意の本数でよい。
【００２２】
以上のように、本考案の掛布団１は、図７，８に示す従来の掛布団１１のように、掛布団１１と人体１８との間に大きな空隙部１９が生じることはなく、フィッティング性、密着性、保温効果が、従来の掛布団１１より大幅に向上する。
【産業上の利用可能性】
【００２３】
本考案の掛布団は、立体裁断された裁断片を組み合わせてその表側生地及び／又は裏側生地を縫製してあるので、敷布団に横たわった身体の上に掛けると従来の平面状裁断で縫製した掛布団に比べて身体へのフィット感が良好であり、身体と掛布団との隙間をより少なくすることができ、使用した時のフィッティング性、密着性、そして保温性に極めて優れた掛布団として有用である。
【符号の説明】
【００２４】
１、１１    掛布団
２、１２    表側生地
３、１３    裏側生地
４、１４    中綿
５、５′    縫合部
６    表側生地と裏側生地とを中綿を介して接合する糸
７、１７    敷布団
８、１８    身体
９、１９    空隙部
Ｌ、Ｃ、Ｒ、Ｔ，Ｂ    裁断片
【図１】
0003192276.tif 000003
【図２】
0003192276.tif 000004
【図３】
0003192276.tif 000005
【図４】
0003192276.tif 000006
【図５】
0003192276.tif 000007
【図６】
0003192276.tif 000008
【図７】
0003192276.tif 000009
【図８】
0003192276.tif 000010